(57)【要約】【課題】他の設備への電力供給に用いる移動体を適切に選択すること。【解決手段】一実施形態に係る情報処理システムは、１以上の移動体のそれぞれのバッテリに関するバッテリ情報を取得する第１取得部と、電力供給源の状態に関する供給源情報を取得する第２取得部と、供給源情報とバッテリ情報とに基づいて、１以上の移動体から、電力供給源のために電力を提供させる移動体を電源として選択する選択部と、電源として選択された移動体に向けて電力の提供を要求する要求部とを備える。【選択図】図２
2019146436.tif 000002
【特許請求の範囲】
【請求項１】
１以上の移動体のそれぞれのバッテリに関するバッテリ情報を取得する第１取得部と、
電力供給源の状態に関する供給源情報を取得する第２取得部と、
前記供給源情報と前記バッテリ情報とに基づいて、前記１以上の移動体から、前記電力供給源のために電力を提供させる移動体を電源として選択する選択部と、
前記電源として選択された前記移動体に向けて前記電力の提供を要求する要求部と
を備える情報処理システム。
【請求項２】
前記選択部が、前記電力供給源と前記１以上の移動体のそれぞれとの地理的な位置関係に基づいて、前記電源として機能することになる前記移動体を選択する、
請求項１に記載の情報処理システム。
【請求項３】
前記選択部が、前記電力供給源の送電エリア内に存在する前記移動体を前記電源として選択する、
請求項２に記載の情報処理システム。
【請求項４】
前記選択部が、前記電力供給源の送電エリアに向かって移動している前記移動体を前記電源として選択する、
請求項２または３に記載の情報処理システム。
【請求項５】
前記選択部が、前記バッテリのＳＯＣが閾値以上である前記移動体を前記電源として選択する、
請求項１〜４のいずれか一項に記載の情報処理システム。
【請求項６】
前記選択部が、前記電源として選択された前記移動体について、提供電力量、提供先、および提供日時のうちの少なくとも一つを決定し、
前記要求部が、前記提供電力量、前記提供先、および前記提供日時のうちの少なくとも一つを含む電力要求を、前記電源として選択された前記移動体に向けて送信する、
請求項１〜５のいずれか一項に記載の情報処理システム。
【請求項７】
前記選択部が、前記電源として選択された前記移動体の移動先を決定し、
前記要求部が、前記移動先を含む電力要求を、前記電源として選択された前記移動体に向けて送信する、
請求項１〜６のいずれか一項に記載の情報処理システム。
【請求項８】
前記電源として選択された前記移動体に対応するユーザに特典を付与する特典管理部を更に備える請求項１〜７のいずれか一項に記載の情報処理システム。
【発明の詳細な説明】
【技術分野】
【０００１】
本開示の一側面は、電力の供給を支援する情報処理システムに関する。
【背景技術】
【０００２】
移動体のバッテリを他の設備への電力供給に用いるための仕組みが知られている。例えば、下記の非特許文献１，２にその仕組みの例が記載されている。
【先行技術文献】
【非特許文献】
【０００３】
【非特許文献１】“「バーチャルパワープラント構築実証事業／アグリゲーター事業」に採択”、[online]、２０１６年７月２９日、株式会社エナリス、［２０１８年１月１５日検索］、インターネット＜http://www.eneres.co.jp/pr/20160729.html＞
【非特許文献２】竹内純子、他、「エネルギー産業の２０５０年  Ｕｔｉｌｉｔｙ３．０へのゲームチェンジ」、日本経済新聞出版社、２０１７年９月、ｐｐ．１３７
【発明の概要】
【発明が解決しようとする課題】
【０００４】
移動体のバッテリを他の設備への電力供給に用いる際には、適切な移動体を選択することが望ましい。
【課題を解決するための手段】
【０００５】
本開示の一側面に係る情報処理システムは、１以上の移動体のそれぞれのバッテリに関するバッテリ情報を取得する第１取得部と、電力供給源の状態に関する供給源情報を取得する第２取得部と、供給源情報とバッテリ情報とに基づいて、１以上の移動体から、電力供給源のために電力を提供させる移動体を電源として選択する選択部と、電源として選択された移動体に向けて電力の提供を要求する要求部とを備える。
【０００６】
このような側面においては、各移動体のバッテリと電力供給源の状態との双方に基づいて、その電力供給源のために電力を提供させる移動体が選択される。したがって、他の設備への電力供給に用いる移動体を適切に選択することができる。
【０００７】
他の側面に係る情報処理システムでは、選択部が、電力供給源と１以上の移動体のそれぞれとの地理的な位置関係に基づいて、電源として機能することになる移動体を選択してもよい。地理的な位置関係を考慮することで、電力融通に適した移動体を電源として選択することができる。
【０００８】
他の側面に係る情報処理システムでは、選択部が、電力供給源の送電エリア内に存在する移動体を電源として選択してもよい。このように移動体を選択することで、移動体からの電力融通において、送電系統を節約して送電損失を小さくすることができる。
【０００９】
他の側面に係る情報処理システムでは、選択部が、電力供給源の送電エリアに向かって移動している移動体を電源として選択してもよい。電力供給源の送電エリア内に存在することになる可能性がある移動体を選択することで、移動体からの電力融通において、送電系統を節約して送電損失を小さくすることができる。
【００１０】
他の側面に係る情報処理システムでは、選択部が、バッテリのＳＯＣが閾値以上である移動体を電源として選択してもよい。このように移動体を選択することで、移動体から十分な量の電力が提供されることを期待できる。
【００１１】
他の側面に係る情報処理システムでは、選択部が、電源として選択された移動体について、提供電力量、提供先、および提供日時のうちの少なくとも一つを決定し、要求部が、提供電力量、提供先、および提供日時のうちの少なくとも一つを含む電力要求を、電源として選択された移動体に向けて送信してもよい。移動体に対応するユーザはこの電力要求により電力融通の予定を把握することができる。
【００１２】
他の側面に係る情報処理システムは、選択部が、電源として選択された移動体の移動先を決定し、要求部が、移動先を含む電力要求を、電源として選択された移動体に向けて送信してもよい。移動先を示すことで、電力供給に適した場所に移動体を誘導することができる。
【００１３】
他の側面に係る情報処理システムは、電源として選択された移動体に対応するユーザに特典を付与する特典管理部を更に備えてもよい。特典を付与することで、移動体からの電力提供を行うようにユーザを導くことができる。
【発明の効果】
【００１４】
本開示の一側面によれば、他の設備への電力供給に用いる移動体を適切に選択することができる。
【図面の簡単な説明】
【００１５】
【図１】実施形態に係る情報処理システムの適用の一例を示す図である。
【図２】実施形態に係る情報処理システムの構成の一例を示す図である。
【図３】実施形態に係る情報処理システムで用いられるコンピュータの一般的なハードウェア構成を示す図である。
【図４】実施形態に係る情報処理システムでの処理の一例を示すシーケンス図である。
【発明を実施するための形態】
【００１６】
以下、添付図面を参照しながら本開示の実施形態を詳細に説明する。なお、図面の説明において同一または同等の要素には同一の符号を付し、重複する説明を省略する。
【００１７】
［システムの概要］
実施形態に係る情報処理システム１は、移動体のバッテリ（充電式バッテリ）による他の設備への電力供給を支援するコンピュータシステムである。「移動体のバッテリによる他の設備への電力供給」とは、移動体のバッテリに蓄えられている電力（電気）を他の設備に提供することをいう。他の設備は何ら限定されず、例えば、電力を消費する負荷であってもよいし、別のバッテリであってもよい。他の設備の場所も限定されず、例えば移動体の比較的近い場所に存在してもよいし、移動体から比較的遠い場所に存在してもよい。
【００１８】
情報処理システム１は、１以上の移動体のバッテリに関するバッテリ情報と、電力供給源の状態に関する供給源情報とに基づいて、１以上の移動体から、その電力供給源のために電力を提供させる移動体を電源として選択する。そして、情報処理システム１は選択された移動体に向けて電力の提供を要求する。その後、該要求を受けた移動体は電力供給源のためにバッテリ内の電力を他の設備に向けて供給する。すなわち、該移動体は電源として機能する。情報処理システム１は、電力を提供した移動体に対応するユーザに特典を付与する。
【００１９】
「移動体」とは、人または物をある場所から別の場所へ輸送する機器である。移動体は、バッテリを動力源の少なくとも一部として備える。本実施形態では移動体の例として電気自動車を示すが、移動体の種類は何ら限定されるものではない。例えば、移動体は他の種類の自動車でもよいし、バイク、自転車、電車、水上航走体、水中航走体、または飛行機でもよい。したがって、移動体が進む経路は陸路でも水路でも空路でもよい。移動体は、自機のバッテリに蓄える電力を受け取る受電装置を更に備える。
【００２０】
「電力供給源」とは、発電装置を有する施設である。電力供給源の種類、規模、および所有者は何ら限定されない。例えば、電力供給源は任意の種類の発電所であってもよい。例えば、電力供給源は太陽光、風力、水力、地熱（バイナリ発電を含む）などの再生可能エネルギを用いる発電所であってもよいし、火力発電所または原子力発電所であってもよい。
【００２１】
「移動体に対応するユーザ」とは、移動体と直接にまたは間接的に関係する人である。移動体とユーザとの関係は限定されない。例えば、ユーザは移動体の運転手または操縦者であってもよいし、移動体の搭乗者であってもよいし、移動体に搭乗していない人であってもよい。あるいは、ユーザは移動体の所有者または借り主であってもよいし、該所有者または借り主の関係者（例えば、家族、友人、または知人）であってもよい。
【００２２】
「特典」とは、ユーザに付与される特別の待遇である。特典の種類および内容は何ら限定されない。例えば、特典はユーザへの有体物または無体物の付与であってもよい。具体的には、特典は、記念品（ノベルティ）、商品、またはサービスの提供でもよい。あるいは、特典は、商品購入における割引でもよい。あるいは、特典は、無料券の提供、または、金銭的価値を有するポイントの提供でもよい。もちろん、特典はこれらの例に限定されない。特典の提供者、および特典の原資の提供者も何ら限定されない。特典は、移動体を電源として提供させようというモチベーションをユーザに持たせるきっかけになる可能性があり、したがって、ユーザへのインセンティブとして機能し得る。
【００２３】
移動体は、季節、天候、および時間帯を問わず電力を供給できるという点で、ベースロード電源として見ることができる。あるいは、移動体は、電力供給源の電力が足りなくなる場合に電力を供給できるという点で、ミドル電源として見ることもできる。電力供給源（発電施設）の建設には多額の費用が必要であり、稼働後の維持費用も発生する。また、電力供給源からの電力のみに頼ろうとすると、ピーク電力を想定して電力供給源を構築する必要があるので、その設備投資および維持費用が更に嵩む。特に、電力供給源が、供給電力（出力される電力量）が安定しない発電所（例えば、再生可能エネルギを用いる発電所）である場合、供給電力の安定化を図るために、これまではバッテリ（固定式バッテリ）が発電所に固定的に組み込まれていた。この場合、固定式バッテリも、ピーク電力に対応できるように構築する必要があり、固定式バッテリの容量の大型化に伴って設備投資および維持費用が嵩む。
【００２４】
そのため、電力供給源からの電力供給を補うために必要に応じて移動体を用いるようにする。具体的には、電力供給源からの電力を受け入れ可能なシステムを導入している施設またはエリア（例えば、後述の送電エリア）にまで移動体を移動させれば、ピーク電力に合わせて電力供給源の機能（特に、電力供給源の固定式バッテリの容量）を設定する必要性が低くなる。加えて、多くの移動体を集めれば、移動体の数だけバッテリが集まり、大型のバッテリを構築できるので、各移動体に搭載されるバッテリの容量を大型化する必要がない。したがって、電力供給源のコストを抑制することが可能になり、ひいては、安価な電力供給を期待できる。電力供給源が、再生可能エネルギを用いる発電施設である場合には、電源としての移動体がその電力供給源を補うことで、その再生可能エネルギの普及にもつながり得る。一方、移動体のユーザとしては移動体の有効活用（移動体の稼働率の向上）が可能になる。例えば、商用車の所有者は、その商用車を自己の業務と電力提供との双方に活用できる。これらの利点を持つ柔軟な電力融通を実現ために、情報処理システム１は仲介役として、電力供給源と移動体とのマッチングを実行する。
【００２５】
図１は情報処理システム１を適用する一例を模式的に示す図である。情報処理システム１は、電力供給の支援が可能な一または複数の移動体３０と、その支援を受ける電力供給源４０とを仲介する。図１は複数の移動体３０と一つの電力供給源４０とを示すが、情報処理システム１を利用する移動体３０および電力供給源４０の数は何ら限定されない。情報処理システム１は、その仲介のための主たる機能を実行するサーバ１０を備える。サーバ１０は、その機能の実行に必要なデータを記憶するデータベース群２０を必要に応じて参照する。また、サーバ１０は、移動体３０と、移動体３０に対応するユーザ５０のユーザ端末５１と、電力供給源４０の端末である供給源端末４１と、送電装置６０とデータ通信を実行することができる。サーバ１０は通信ネットワークを介してデータベース群２０、移動体３０、供給源端末４１、ユーザ端末５１、および送電装置６０と接続する。通信ネットワークの構成は何ら限定されるものでなく、例えば、通信ネットワークはインターネット、イントラネット等の任意の通信網を用いて構築されてよい。
【００２６】
供給源端末４１は、電力供給源４０により管理されるコンピュータである。供給源端末４１として用いられるコンピュータの種類は限定されない。例えば、供給源端末４１はパーソナルコンピュータまたはサーバであってもよい。あるいは、供給源端末４１は、高機能携帯電話機（スマートフォン）、携帯電話機、携帯情報端末（ＰＤＡ）、タブレット、ラップトップパソコン等の携帯端末でもよい。あるいは、一または複数のコンピュータで構成されるコンピュータシステムの少なくとも一部が供給源端末４１として機能してもよい。
【００２７】
ユーザ端末５１は、ユーザ５０により操作されるコンピュータである。ユーザ端末５１として用いられるコンピュータの種類は限定されず、また、ユーザ端末５１は移動体３０に搭載されてもされなくてもよい。例えば、ユーザ端末５１はカーナビゲーションシステムでもよいし、高機能携帯電話機（スマートフォン）、携帯電話機、携帯情報端末（ＰＤＡ）、タブレット、ラップトップパソコン等の携帯端末でもよい。ユーザ端末５１が移動体３０に搭載されない場合には、そのユーザ端末５１は移動体３０内のシステムと接続可能であってもよいし接続しなくてもよい。
【００２８】
送電装置６０は、移動体３０のバッテリ３２を充電可能な装置である。送電装置６０から提供された電気が移動体３０の受電装置３１により受け取られてエネルギとしてバッテリ３２に蓄えられることで、バッテリ３２が充電される。送電装置６０の種類は限定されず、例えば非接触送電装置であってもよいし、有線型（ケーブル型、またはコンセント型ともいう）の送電装置であってもよい。送電装置６０は任意の施設に設けられる。施設の種類、規模、および所有者は何ら限定されない。例えば、施設は任意の商業施設、公共施設、または個人施設であってもよい。より具体的な施設の例として、充電ステーション、ショッピングモール、レストラン、カフェ、駐車場、スタジアム、病院、市役所、公園、マンション、一軒家、港、および空港が挙げられる。しかし、施設はこれらの例に限定されない。
【００２９】
［システムの構成］
図２は情報処理システム１の構成の一例を示す図である。情報処理システム１（サーバ１０）は機能要素として取得部１１、選択部１２、要求部１３、および特典管理部１４を備える。取得部１１はバッテリ情報および供給源情報を取得する機能要素であり、したがって、第１取得部および第２取得部として機能する。選択部１２は、その供給源情報およびバッテリ情報に基づいて、電力供給源４０のために電力を提供させる移動体３０を電源として選択する機能要素である。要求部１３は、選択された移動体３０に向けて電力の提供を要求する機能要素である。特典管理部１４は、電力を提供した移動体３０に対応するユーザ５０に特典を付与する機能要素である。これらの機能要素は、必要に応じてデータベース群２０にアクセスしてデータを読み出したり書き込んだりする。
【００３０】
図３は情報処理システム１（サーバ１０）を構成するコンピュータ１００の一般的なハードウェア構成を示す。例えば、コンピュータ１００はプロセッサ１０１、主記憶部１０２、補助記憶部１０３、通信制御部１０４、入力装置１０５、および出力装置１０６を備える。プロセッサ１０１はオペレーティングシステムおよびアプリケーション・プログラムを実行する。主記憶部１０２は例えばＲＯＭおよびＲＡＭで構成される。補助記憶部１０３は例えばハードディスクまたはフラッシュメモリで構成され、一般に主記憶部１０２よりも大量のデータを記憶する。補助記憶部１０３は、少なくとも１台のコンピュータを情報処理システム１（サーバ１０）として機能させるための情報処理プログラムＰを記憶する。通信制御部１０４は例えばネットワークカードまたは無線通信モジュールで構成される。入力装置１０５は例えばキーボード、マウス、タッチパネルなどで構成される。出力装置１０６は例えばモニタおよびスピーカで構成される。
【００３１】
情報処理システム１（サーバ１０）の各機能要素は、プロセッサ１０１または主記憶部１０２の上に情報処理プログラムＰを読み込ませてその情報処理プログラムＰを実行させることで実現される。情報処理プログラムＰは取得部１１、選択部１２、要求部１３、および特典管理部１４を実現するためのコードを含む。プロセッサ１０１は情報処理プログラムＰに従って、通信制御部１０４、入力装置１０５、または出力装置１０６を動作させ、主記憶部１０２または補助記憶部１０３におけるデータの読み出しおよび書き込みを行う。この処理により情報処理システム１（サーバ１０）の各機能要素が実現される。処理に必要なデータまたはデータベースは主記憶部１０２または補助記憶部１０３内に格納されてもよい。
【００３２】
情報処理プログラムＰは、例えば、ＣＤ−ＲＯＭ、ＤＶＤ−ＲＯＭ、半導体メモリなどの有形の記録媒体に固定的に記録された上で提供されてもよい。あるいは、情報処理プログラムＰは、搬送波に重畳されたデータ信号として通信ネットワークを介して提供されてもよい。提供された情報処理プログラムＰは補助記憶部１０３に格納される。
【００３３】
情報処理システム１（サーバ１０）は１台のコンピュータで構成されてもよいし、複数台のコンピュータで構成されてもよい。複数台のコンピュータを用いる場合には、これらのコンピュータがインターネットやイントラネットなどの通信ネットワークを介して接続されることで、情報処理システム１（例えば、論理的に一つのサーバ１０）が構築される。
【００３４】
データベース群２０は、情報処理システム１での処理に必要なデータを記憶する１以上のデータベースの集合である。データベースとは、プロセッサまたは外部のコンピュータからの任意のデータ操作（例えば、抽出、追加、削除、上書きなど）に対応できるようにデータ集合を記憶する機能要素（記憶部）である。データベースの実装方法は限定されず、例えばリレーショナル・データベースでもよい。データベース群２０の管理主体および設置場所は限定されない。例えば、データベース群２０は、情報処理システム１とは異なるコンピュータシステムにより管理されてもよいし、情報処理システム１の一部であってもよい。個々のデータベースの管理主体は互いに異なってもよいし同じでもよい。本実施形態では、データベース群２０は移動体データベース２１、ユーザデータベース２２、および環境情報データベース２３を含む。
【００３５】
移動体データベース２１は移動体情報を記憶する装置である。移動体情報はそれぞれの移動体３０に関する情報である。移動体情報の構成は限定されない。例えば、移動体情報の各レコードは、移動体ＩＤ、ユーザＩＤ、および移動体属性を含んでもよい。
【００３６】
移動体ＩＤは移動体３０を一意に特定するための識別子である。移動体ＩＤの設定方法は限定されない。例えば、移動体ＩＤは車両番号のような重複しない情報でもよいし、移動体３０に搭載された受電装置３１またはバッテリ３２の識別子で代替されてもよい。
【００３７】
ユーザＩＤはユーザ５０を一意に特定するための識別子である。ユーザＩＤは、例えば、ユーザ５０が移動体３０のバッテリ３２内の電力を提供するためにユーザ登録した際に設定される。
【００３８】
移動体属性は移動体３０の性質または特徴を示す情報である。移動体属性を構成するデータ項目は限定されない。例えば、移動体属性は、移動体３０の型番、走行距離、および走行履歴のうちの少なくとも一つを含んでもよい。移動体属性はバッテリ属性を更に含んでもよい。バッテリ属性はバッテリ３２の性質または特徴を示す情報である。バッテリ属性は、バッテリ３２の型番、およびＳＯＣ（Ｓｔａｔｅ  Ｏｆ  Ｃｈａｒｇｅ）のうちの少なくとも一つを含んでもよい。あるいは、バッテリ属性はバッテリ３２の過去の充電の記録である充電履歴を含んでもよい。充電履歴は、例えば、充電量、充電場所、および充電日時のうちの少なくとも一つを含んでもよい。充電日時は、移動体３０が送電装置６０に入場または退場した時刻で表現されてもよい。
【００３９】
情報処理システム１（サーバ１０）は、ユーザ端末５１、送電装置６０、または移動体３０（たとえば受電装置３１）から受信したデータに基づいて移動体情報のレコードを生成してそのレコードを移動体データベース２１に格納してもよい。あるいは、情報処理システム１とは異なるコンピュータシステムが移動体情報を生成および格納してもよい。
【００４０】
ユーザデータベース２２はユーザ情報を記憶する装置である。ユーザ情報はユーザ５０に関する情報である。ユーザ情報の構成は限定されない。例えば、ユーザ情報の各レコードは、ユーザＩＤおよびユーザ属性を含んでもよい。ユーザ属性はユーザ５０の性質または特徴を示す情報である。ユーザ属性を構成するデータ項目は限定されない。例えば、ユーザ属性は氏名、性別、住所、電話番号、メールアドレス、趣味、嗜好、および過去に受けた特典のうちの少なくとも一つを含んでもよい。ユーザ属性は移動体３０に関する情報（例えば移動体ＩＤ）を含んでもよい。
【００４１】
ユーザ情報は、例えば、ユーザ５０が移動体３０のバッテリ３２内の電力を提供するためにユーザ登録した際に生成されてユーザデータベース２２に格納される。ユーザ情報の生成および格納は情報処理システム１（サーバ１０）により実行されてもよいし、情報処理システム１とは異なるコンピュータシステムにより実行されてもよい。
【００４２】
環境情報データベース２３は環境情報を記憶する装置である。環境情報は、電力の供給に影響を与え得る任意の事項を示す情報である。環境情報の内容は限定されない。例えば、環境情報は各地域の過去または現在の気象情報を含んでもよいし、将来の気象の予測を含んでもよいし、各地域の現在の電力価格を含んでもよい。環境情報の生成および格納は情報処理システム１（サーバ１０）により実行されてもよいし、情報処理システム１とは異なるコンピュータシステム（例えば、気象システム、電力供給源４０のシステムなど）により実行されてもよい。
【００４３】
データベース群２０内の各データベースおよび各レコードの構成は上記のものに限定されず、各データベースに対して任意の正規化または冗長化を行ってよい。
【００４４】
［システムの動作］
情報処理システム１の動作を説明するとともに本実施形態に係る情報処理方法について説明する。図４は情報処理システム１の動作の一例を示すシーケンス図である。図４を参照しながらの説明では、説明を簡単にするために、一つの電力供給源４０のために１以上の移動体３０を選択する処理を示す。
【００４５】
ステップＳ１１では、電力の提供を望む電力供給源４０の供給源端末４１が供給源情報をサーバ１０に送信する。供給源情報は、電力供給源４０の状態に関する情報である。電力供給源４０（例えば供給源端末４１）は自己の予定供給量および予測需要量を求める。供給量および需要量の予測時点は限定されない。例えば、電力供給源４０（例えば供給源端末４１）は数時間後の予定供給量および予測需要量を求めてもよいし、数日後の予定供給量および予測需要量を求めてもよい。予定供給量が予測需要量より少ない場合には、供給源端末４１は、予定供給量と予測需要量との差分である予測不足量と、電力供給源４０を一意に特定する供給源ＩＤとを含む供給源情報をサーバ１０に送信する。あるいは、予定供給量が予測需要量より多いがその差分が閾値未満である場合においても、供給源端末４１はその差分と供給源ＩＤとを含む供給源情報をサーバ１０に送信してもよい。予測不足量および差分は、電力供給源４０の状態を示す情報の一例である。サーバ１０では取得部１１がその供給源情報を受信する（第２取得ステップ）。予定供給量が予測需要量以上であればステップＳ１１の処理は実行されなくてもよく、この場合にはステップＳ１２以降の処理も実行されない。
【００４６】
電力供給源４０は、ステップＳ１１の処理を任意のタイミングで開始してもよい。例えば、電力供給源４０は定期的にステップＳ１１の処理を実行してもよい。
【００４７】
ステップＳ１２では、取得部１１が、１以上の移動体３０のそれぞれのバッテリ３２に関するバッテリ情報を移動体データベース２１から取得する（第１取得ステップ）。バッテリ情報の内容は限定されない。例えば、取得部１１は、各移動体３０の移動体情報の少なくとも一部を該移動体３０のバッテリ情報として取得してもよい。例えば、取得部１１は、移動体３０の走行距離、移動体３０の走行履歴、バッテリ３２の型番、バッテリ３２のＳＯＣ、およびバッテリ３２の充電履歴から選択される少なくとも一つを取得してもよい。したがって、取得部１１はバッテリ属性をバッテリ情報として取得してもよい。
【００４８】
ステップＳ１３では、選択部１２が、それらの供給源情報およびバッテリ情報に基づいて、電力を提供させる１以上の移動体３０を電源として選択する（選択ステップ）。移動体３０の選択方法は何ら限定されない。
【００４９】
例えば、選択部１２は、電力提供についてユーザ５０の許可が得られている移動体３０を選択してもよい（第１の手法）。
【００５０】
あるいは、選択部１２は、電力供給源４０と各移動体３０との地理的な位置関係に基づいて移動体３０を選択してもよい（第２の手法）。「地理的な位置関係」とは、物理的な距離を考慮した位置関係であるといえる。地理的な位置関係に基づく選択の方法は限定されない。例えば、選択部１２は、電力供給源４０の送電エリア内に存在する移動体３０を選択してもよい。「送電エリア」とは、電力供給源４０からの電気を用いる地域のことをいう。あるいは、選択部１２は、その送電エリアに向かって移動している移動体３０を選択してもよい。あるいは、選択部１２は、予め定められた特定の場所（例えば契約駐車場）に位置する移動体３０を選択してもよい。その「特定の場所」は電力供給源４０の送電エリア内に位置してもよいし、該送電エリア外に位置してもよい。あるいは、選択部１２は送電エリアに存在する移動体３０と送電エリアに向かっている移動体３０との双方を選択してもよい。
【００５１】
あるいは、選択部１２は、バッテリ３２のＳＯＣが、予め定められた閾値Ｔａ以上である移動体３０を選択してもよい（第３の手法）。選択部１２は、バッテリ情報で示されるＳＯＣをそのまま用いてもよいし、バッテリ情報で示される充電履歴からＳＯＣを推定してもよい。
【００５２】
あるいは、選択部１２は上記の第１〜第３の手法から選択される任意の２以上の手法を組み合わせて移動体３０を選択してもよい。例えば、選択部１２は、送電エリアに存在するかまたは向かっており、かつＳＯＣが閾値Ｔａ以上である移動体３０を選択してもよい。あるいは、選択部１２は、ユーザ５０の許可が得られており、且つ他の条件（第２および第３の手法の中から選択される少なくとも一つの条件）を満たす移動体３０を選択してもよい。
【００５３】
あるいは、選択部１２は供給源情報およびバッテリ情報に加えて、更に環境情報データベース２３内の環境情報（例えば、気象または電力価格）にも基づいて移動体３０を選択してもよい（第４の手法）。例えば、選択部１２は、供給源情報で示される予測不足量に、気象に基づいて予め定められた係数Ｃａを乗ずることで予測不足量を調整する。そして、選択部１２は、調整された予測不足量とバッテリ情報とに基づいて、上記第１〜第３の手法から選択される任意の一または複数の手法により移動体３０を選択する。
【００５４】
選択部１２は上述した第１〜第４の手法以外の手法を用いて移動体３０を選択してもよい。例えば、選択部１２は、情報処理システム１が管理する移動体３０のすべてを選択してもよいし、少なくとも一つの移動体３０をランダムに選択してもよい。
【００５５】
選択部１２は、選択した１以上の移動体３０のそれぞれについて、提供電力量、提供先、および提供日時のうちの少なくとも一つを決定してもよい。提供電力量とは、移動体３０から提供される電力量である。提供先とは、移動体３０から提供される電力を何が消費するかを示す情報であり、例えば設備または場所で示されてもよい。提供日時とは、移動体３０が電力を提供する日時である。選択部１２は供給源情報およびバッテリ情報に基づいて、任意の手法で提供電力量、提供先、および提供日時を決定してよい。例えば、選択部１２はＳＯＣが高いほど提供電力量が大きくなるように個々の移動体３０の提供電力量を決定してもよい。
【００５６】
選択部１２は、選択した１以上の移動体３０のそれぞれについて、電源供給のための移動先（指定場所）を決定してもよい。この処理は、電力供給の諸事情（例えば、効率、制約など）を考慮して、電力供給に適した場所まで移動体３０を移動させることを意図するものである。移動先（指定場所）の決定方法は限定されない。例えば、選択部１２は電力供給源４０の送電エリア内の任意の位置を移動先（指定場所）として決定してもよい。
【００５７】
ステップＳ１４では、要求部１３が、電源として選択された移動体３０のそれぞれに向けて電力要求を送信する（要求ステップ）。電力要求は、移動体３０に電力の提供を要求するためのデータ信号である。「移動体に向けて電力要求を送信する」とは、移動体３０が電力を提供できるように電力要求を送信することをいう。この処理を実現できる限り、要求部１３は移動体３０に対応するユーザ端末５１に電力要求を送信してもよいし、ユーザ端末５１以外のコンピュータに電力要求を送信してもよい。電力要求は、決定された提供電力量、提供先、提供日時のうちの少なくとも一つを含んでもよい。あるいは、電力供給は、移動体３０の移動先、すなわち指定場所を示す移動指示を含んでもよい。
【００５８】
ここで、その電力要求は、電力提供を移動体３０に強制するものである必要はないことに留意されたい。例えば、電力要求を受けた移動体３０（ユーザ５０）は、実際に電力を供給するか否かを決めるための選択肢を有する。この場合、電力要求を受けた移動体３０（ユーザ５０）が電力供給を許可すると、その移動体３０に対応するユーザ端末５１がサーバ１０に許可信号を送る。サーバ１０は、その許可信号を収集することで、１以上の移動体３０からの実際の電力供給を見込むことができる。
【００５９】
電力要求は、電力提供に伴ってユーザ５０に付与される特典の案内（特典案内情報）を含んでもよい。この場合には、電力要求を受けたユーザ５０はその特典の内容を予め知ることができ、その特典案内情報に基づいて、電力供給を許可するか否かを決めることができる。
【００６０】
ステップＳ１５では、要求部１３が電力供給源４０に向けて見込み情報を送信する。見込み情報は、電力供給源４０のためにどのくらいの電力の提供が予定されているかを示す情報である。見込み情報の表現方法は限定されない。例えば、見込み情報は、１以上の移動体３０から提供される総電力の見込みを示してもよいし、選択された各移動体３０の提供電力を示してもよい。あるいは、見込み情報は、上記の許可信号に基づいて見込まれる値（例えば、総電力、または電力要求に応じた各移動体３０の提供電力）を示してもよい。
【００６１】
ステップＳ１６では、電源として選択された移動体３０のそれぞれが電力供給源４０のために電力を提供する。「電力供給源のために電力を提供する」とは、通常は電力供給源からの電力を利用する設備（例えば、負荷、他のバッテリなど）のために、移動体から電力を提供することをいう。つまり、この設備は、電力供給源からの電力に代えて、または電力供給源からの電力に加えて、移動体からの電力を受けることになる。したがって、「電力供給源のために電力を提供する」とは、Ｖ２Ｇ（Ｖｅｈｉｃｌｅ  ｔｏ  Ｇｒｉｄ）およびＶ２Ｈ（Ｖｅｈｉｃｌｅ  ｔｏ  Ｈｏｍｅ）を含む概念を意味する。それぞれの移動体３０は電力要求に従って電力を提供する。上述したように、電力要求を受けた移動体３０のすべてが電力を提供するとは限らない点に留意されたい。例えば、電力供給を許可したユーザ５０に対応する移動体３０のみが実際に電力を提供することがあり得る。電力要求が移動指示を含む場合には、その移動指示で指定された場所にユーザ５０が移動体３０を移動させた後に、その移動体３０がその指定場所から電力を提供する。
【００６２】
ステップＳ１７では、特典管理部１４が、電力を提供した移動体３０に対応するユーザ５０に向けて特典情報を送信する。特典情報は、そのユーザ５０に付与される特典を示す情報である。「ユーザに向けて特典情報を送信する」とは、ユーザ５０が特典を享受できるように特典情報を送信することをいう。この処理を実現できる限り、特典管理部１４はユーザ端末５１に特典情報を送信してもよいし、ユーザ端末５１以外のコンピュータに特典情報を送信してもよい。
【００６３】
例えば、特典管理部１４は、ブロックチェーン技術により実装される台帳を用いて電力供給源４０と個々の移動体３０との間の電力の取引を管理する。例えば、特典管理部１４は、個々の移動体３０から提供された電力量と、電力供給源４０からの電力供給量と、その提供または供給された電力の消費量とのうちの少なくとも一つをその台帳に記憶する。特典管理部１４はその台帳に基づいて、個々のユーザ５０に付与する特典を決定し、特典の受取人となるユーザ５０に向けて特典情報を送信する。特典管理部１４は、ユーザ５０に付与した特典に関する情報をユーザデータベース２２に格納してもよい。もちろん、このような一連の処理は一例であり、特典管理部１４は他の任意の手法で特典情報を送信してもよい。
【００６４】
情報処理システム１（サーバ１０）は、図４に示す一連の処理を複数の電力供給源４０に対して同時に実行してもよく、該一連の処理を一つの電力供給源４０に対して複数回実行してもよい。
【００６５】
［効果］
以上説明したように、本開示の一側面に係る情報処理システムは、１以上の移動体のそれぞれのバッテリに関するバッテリ情報を取得する第１取得部と、電力供給源の状態に関する供給源情報を取得する第２取得部と、供給源情報とバッテリ情報とに基づいて、１以上の移動体から、電力供給源のために電力を提供させる移動体を電源として選択する選択部と、電源として選択された移動体に向けて電力の提供を要求する要求部とを備える。
【００６６】
本開示の一側面に係る情報処理方法は、少なくとも一つのプロセッサを備える情報処理システムにより実行される情報処理方法であって、１以上の移動体のそれぞれのバッテリに関するバッテリ情報を取得する第１取得ステップと、電力供給源の状態に関する供給源情報を取得する第２取得ステップと、供給源情報とバッテリ情報とに基づいて、１以上の移動体から、電力供給源のために電力を提供させる移動体を電源として選択する選択ステップと、電源として選択された移動体に向けて電力の提供を要求する要求ステップとを含む。
【００６７】
本開示の一側面に係る情報処理プログラムは、１以上の移動体のそれぞれのバッテリに関するバッテリ情報を取得する第１取得ステップと、電力供給源の状態に関する供給源情報を取得する第２取得ステップと、供給源情報とバッテリ情報とに基づいて、１以上の移動体から、電力供給源のために電力を提供させる移動体を電源として選択する選択ステップと、電源として選択された移動体に向けて電力の提供を要求する要求ステップとをコンピュータシステムに実行させる。
【００６８】
本開示の一側面に係るコンピュータ読み取り可能な記録媒体は、１以上の移動体のそれぞれのバッテリに関するバッテリ情報を取得する第１取得ステップと、電力供給源の状態に関する供給源情報を取得する第２取得ステップと、供給源情報とバッテリ情報とに基づいて、１以上の移動体から、電力供給源のために電力を提供させる移動体を電源として選択する選択ステップと、電源として選択された移動体に向けて電力の提供を要求する要求ステップとをコンピュータシステムに実行させる情報処理プログラムを記憶する。
【００６９】
このような側面においては、各移動体のバッテリと電力供給源の状態との双方に基づいて、その電力供給源のために電力を提供させる移動体が選択される。したがって、他の設備への電力供給に用いる移動体を適切に選択することができる。また、情報処理システムが仲介役として電力供給源と移動体とのマッチングを実行するので、電力供給源の管理者は移動体のユーザを独自に見つける必要がなく、その逆もまたしかりである。したがって、電力供給源（例えば供給源端末）とユーザ端末との間で発生するデータ通信量を低減することができる。
【００７０】
他の側面に係る情報処理システムでは、選択部が、電力供給源と１以上の移動体のそれぞれとの地理的な位置関係に基づいて、電源として機能することになる移動体を選択してもよい。地理的な位置関係を考慮することで、電力融通に適した移動体を電源として選択することができる。
【００７１】
他の側面に係る情報処理システムでは、選択部が、電力供給源の送電エリア内に存在する移動体を電源として選択してもよい。このように移動体を選択することで、移動体からの電力融通において、送電系統を節約して送電損失を小さくすることができる。
【００７２】
他の側面に係る情報処理システムでは、選択部が、電力供給源の送電エリアに向かって移動している移動体を電源として選択してもよい。電力供給源の送電エリア内に存在することになる可能性がある移動体を選択することで、移動体からの電力融通において、送電系統を節約して送電損失を小さくすることができる。
【００７３】
他の側面に係る情報処理システムでは、選択部が、バッテリのＳＯＣが閾値以上である移動体を電源として選択してもよい。このように移動体を選択することで、移動体から十分な量の電力が提供されることを期待できる。
【００７４】
他の側面に係る情報処理システムでは、選択部が、電源として選択された移動体について、提供電力量、提供先、および提供日時のうちの少なくとも一つを決定し、要求部が、提供電力量、提供先、および提供日時のうちの少なくとも一つを含む電力要求を、電源として選択された移動体に向けて送信してもよい。移動体に対応するユーザはこの電力要求により電力融通の予定を把握することができる。
【００７５】
他の側面に係る情報処理システムは、選択部が、電源として選択された移動体の移動先を決定し、要求部が、移動先を含む電力要求を、電源として選択された移動体に向けて送信してもよい。移動先を示すことで、電力供給に適した場所に移動体を誘導することができる。別の場所に動くことができるという移動体の特性を活かして、電力供給に適した場所まで移動体を移動させてその場所から電力を供給させることで、電力需要に合わせて柔軟に電力供給源を補うことができる。
【００７６】
他の側面に係る情報処理システムは、電源として選択された移動体に対応するユーザに特典を付与する特典管理部を更に備えてもよい。特典を付与することで、移動体からの電力提供を行うようにユーザを導くことができる。
【００７７】
［変形例］
以上、本開示をその実施形態に基づいて詳細に説明した。しかし、本開示は上記実施形態に限定されるものではない。本開示は、その要旨を逸脱しない範囲で様々な変形が可能である。
【００７８】
情報処理システムのために用いられるデータベースの種類は上記実施形態に限定されない。例えば、移動体データベース２１、ユーザデータベース２２、および環境情報データベース２３の中の少なくとも一つが省略されてもよいし、別のデータベースが用いられてもよい。例えば、情報処理システムの第１取得部は、移動体データベース２１を用いることなく、各ユーザ端末、各送電装置、または各移動体（たとえば各受電装置）から通信ネットワークを介してバッテリ情報を取得してもよい。
【００７９】
少なくとも一つのプロセッサにより実行される情報処理方法の処理手順は上記実施形態での例に限定されない。例えば、上述したステップ（処理）の一部が省略されてもよいし、別の順序で各ステップが実行されてもよい。また、上述したステップのうちの任意の２以上のステップが組み合わされてもよいし、ステップの一部が修正又は削除されてもよい。あるいは、上記の各ステップに加えて他のステップが実行されてもよい。例えば、ステップＳ１５，Ｓ１７の処理は省略されてもよい。すなわち、見込み情報の送信、およびユーザへの特典の付与は省略されてよい。したがって、特典管理部は必須の構成要素ではない。
【００８０】
情報処理システムが二つの数値の大小関係を比較する際には、「以上」および「よりも大きい」という二つの基準のどちらを用いてもよく、「以下」および「未満」の二つの基準のうちのどちらを用いてもよい。このような基準の選択は、二つの数値の大小関係を比較する処理についての技術的意義を変更するものではない。
【産業上の利用可能性】
【００８１】
本開示の一側面によれば、他の設備への電力供給に用いる移動体を適切に選択することができる。
【符号の説明】
【００８２】
１  情報処理システム
１０  サーバ
１１  取得部（第１取得部および第２取得部）
１２  選択部
１３  要求部
１４  特典管理部
２０  データベース群
２１  移動体データベース
２２  ユーザデータベース
２３  環境情報データベース
３０  移動体
３１  受電装置
３２  バッテリ
４０  電力供給源
４１  供給源端末
５０  ユーザ
５１  ユーザ端末
６０  送電装置
Ｐ  情報処理プログラム
【図１】
2019146436.tif 000003
【図２】
2019146436.tif 000004
【図３】
2019146436.tif 000005
【図４】
2019146436.tif 000006
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
１以上の移動体のそれぞれのバッテリに関するバッテリ情報を記憶する装置から前記バッテリ情報を取得する第１取得部であって、前記バッテリ情報が前記移動体の走行履歴を少なくとも含む、該第１取得部と、
電力供給源の状態に関する供給源情報を前記電力供給源の供給源端末から取得する第２取得部と、
前記供給源情報と前記バッテリ情報とに基づいて、前記１以上の移動体から、前記電力供給源の送電エリアに向かって移動している移動体を、前記電力供給源のために電力を提供させるための電源として選択する選択部と、
前記電源として選択された前記移動体に向けて、前記電力の提供を要求するためのデータ信号である電力要求を送信する要求部と
を備える情報処理システム。
【請求項２】
前記選択部が、前記電力供給源の送電エリア内に存在する前記移動体を前記電源として選択する、
請求項１に記載の情報処理システム。
【請求項３】
前記供給源情報が前記電力供給源の予測不足量を示し、
前記選択部が、
気象を示す環境情報を記憶する環境情報データベースから前記環境情報を取得し、
前記環境情報で示される気象に基づいて予め定められた係数を前記予測不足量に乗ずることで前記予測不足量を調整し、
調整された前記予測不足量と前記バッテリ情報とにさらに基づいて、前記電源としての前記移動体を選択する、
請求項１または２に記載の情報処理システム。
【請求項４】
前記電力要求を受けた移動体において電力供給が許可された場合に、該移動体に対応するユーザ端末が許可信号を送信し、
前記要求部が、
前記許可信号を収集することで、前記電源として選択された１以上の前記移動体からの実際の電力供給を見込み、
前記電力供給源に提供される電力の予定を示す見込み情報を前記電力供給源に向けて送信する、
請求項１〜３のいずれか一項に記載の情報処理システム。
【請求項５】
前記選択部が、前記バッテリのＳＯＣが閾値以上である前記移動体を前記電源として選択する、
請求項１〜４のいずれか一項に記載の情報処理システム。
【請求項６】
前記選択部が、前記電源として選択された前記移動体について、提供電力量、提供先、および提供日時のうちの少なくとも一つを決定し、
前記要求部が、前記提供電力量、前記提供先、および前記提供日時のうちの少なくとも一つを含む電力要求を、前記電源として選択された前記移動体に向けて送信する、
請求項１〜５のいずれか一項に記載の情報処理システム。
【請求項７】
前記選択部が、前記電源として選択された前記移動体の移動先を決定し、
前記要求部が、前記移動先を含む電力要求を、前記電源として選択された前記移動体に向けて送信する、
請求項１〜６のいずれか一項に記載の情報処理システム。
【請求項８】
前記電源として選択された前記移動体に対応するユーザに特典を付与する特典管理部を更に備える請求項１〜７のいずれか一項に記載の情報処理システム。
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
複数の移動体のそれぞれのバッテリに関するバッテリ情報を記憶する装置から前記バッテリ情報を取得する第１取得部であって、前記バッテリ情報が前記移動体の走行履歴を少なくとも含む、該第１取得部と、
電力供給源の状態に関する供給源情報を前記電力供給源の供給源端末から取得する第２取得部と、
前記供給源情報と前記バッテリ情報とに基づいて、前記複数の移動体から、前記電力供給源の送電エリアに向かって移動している移動体を、前記電力供給源のために電力を提供させるための電源として選択する選択部と、
前記電源として選択された前記移動体に向けて、前記電力の提供を要求するためのデータ信号である電力要求を送信する要求部と
を備える情報処理システム。
【請求項２】
前記選択部が、前記電力供給源の送電エリア内に存在する前記移動体を前記電源として選択する、
請求項１に記載の情報処理システム。
【請求項３】
前記供給源情報が前記電力供給源の予測不足量を示し、
前記選択部が、
気象を示す環境情報を記憶する環境情報データベースから前記環境情報を取得し、
前記環境情報で示される気象に基づいて予め定められた係数を前記予測不足量に乗ずることで前記予測不足量を調整し、
調整された前記予測不足量と前記バッテリ情報とにさらに基づいて、前記電源としての前記移動体を選択する、
請求項１または２に記載の情報処理システム。
【請求項４】
前記電力要求を受けた移動体において電力供給が許可された場合に、該移動体に対応するユーザ端末が許可信号を送信し、
前記要求部が、
前記許可信号を収集することで、前記電源として選択された１以上の前記移動体からの実際の電力供給を見込み、
前記電力供給源に提供される電力の予定を示す見込み情報を前記電力供給源に向けて送信する、
請求項１〜３のいずれか一項に記載の情報処理システム。
【請求項５】
前記選択部が、前記バッテリのＳＯＣが閾値以上である前記移動体を前記電源として選択する、
請求項１〜４のいずれか一項に記載の情報処理システム。
【請求項６】
前記選択部が、前記電源として選択された前記移動体について、提供電力量、提供先、および提供日時のうちの少なくとも一つを決定し、
前記要求部が、前記提供電力量、前記提供先、および前記提供日時のうちの少なくとも一つを含む電力要求を、前記電源として選択された前記移動体に向けて送信する、
請求項１〜５のいずれか一項に記載の情報処理システム。
【請求項７】
前記選択部が、前記電源として選択された前記移動体の移動先を決定し、
前記要求部が、前記移動先を含む電力要求を、前記電源として選択された前記移動体に向けて送信する、
請求項１〜６のいずれか一項に記載の情報処理システム。
【請求項８】
前記電源として選択された前記移動体に対応するユーザに特典を付与する特典管理部を更に備える請求項１〜７のいずれか一項に記載の情報処理システム。